(57)【要約】【課題】使用者の簡便な操作にて、使用者に違和感を与えることなく、より自然な姿勢を保ちながらリクライニングさせることができるとともに、使用者が所望する姿勢に細かな調整のできるリクライニング可能な椅子を提供すること。【解決手段】リクライニング可能な椅子において、背凭れ部と左右枠体との軸承部を背凭れ部下部前方に配置するとともにリクライニング機構により背凭れ部がリクライニング可能に構成されることにより該軸承部を使用者が着座した状態からリクライニングしたときの腰の屈曲点と略々同一個所とし、さらに座席部と左右枠体との軸承部を座席部前方に配置するとともに揺動機構により座席部後部を上下に揺動可能とし、前記リクライニング機構と揺動機構を個々に操作可能とすることにより使用者により腰の屈曲点が異なる場合でも、前記背凭れ部の軸承部と腰の屈曲点を略々一致させることを可能とした。【選択図】        図１
2004329630.tif 000002
【特許請求の範囲】
【請求項１】
基台部上部に左右一対の左右枠体を備え、左右枠体間かつ該基台部上方に配された座席部と、該座席部前方下部に座席部前方に向けて進出かつ回動可能に配された足載せ台部と、前記座席部後方に上方に起立するように配された背凭れ部とからなるリクライニング可能な椅子において、前記背凭れ部と左右枠体との軸承部を背凭れ部下部前方に配置するとともにリクライニング機構により背凭れ部がリクライニング可能に構成されることにより該軸承部を使用者が着座した状態からリクライニングしたときの腰の屈曲点と略々同一個所とし、さらに前記座席部と左右枠体との軸承部を座席部前方に配置するとともに揺動機構により座席部後部を上下に揺動可能とし、前記リクライニング機構と揺動機構を個々に操作可能とすることにより使用者により腰の屈曲点が異なる場合でも、前記背凭れ部の軸承部と腰の屈曲点を略々一致させることを可能としたことを特徴とするリクライニング可能な椅子。
【請求項２】
基台部上部に左右一対の左右枠体を備え、左右枠体間かつ該基台部上方に配された座席部と、該座席部前方下部に座席部前方に向けて回動可能に配された足載せ台部と、前記座席部後方に上方に起立するように配された背凭れ部とからなるリクライニング可能な椅子において、背凭れ部のリクライニングに連動して背凭れ部の頭載せ台が背凭れに対して傾倒するとともに、該頭載せ台を単独でも傾倒可能とする頭載せ台傾倒機構を備えたことを特徴とするリクライニング可能な椅子。
【請求項３】
少なくとも２つの作動部を操作する操作部において、一端部にハンドルを止着したハンドルピンを操作ベースにハンドルが回転操作可能となるよう取り付け、前記ハンドルピンの他端部にハンドルの回転操作により回動する回動体が固定され、操作ベースに端部を軸承し回動自在に取り付けられた少なくとも２つの作動体間に前記回動体が位置するよう配置することにより、前記回動体の正回転あるいは逆回転により夫々一方の作動体を回動操作可能に構成し、この作動体と前記作動部間にチューブ付ワイヤーを張設し、作動体の回動により作動部を作動させるよう構成することにより１つのハンドルで少なくとも２つの作動部を個別に操作可能としたことを特徴とする操作部。
【発明の詳細な説明】
【０００１】
【発明が属する技術分野】
本発明は、リクライニング可能な椅子に関するものである。
【０００２】
【従来の技術】
従来、リクライニング可能な椅子おいて、使用者が椅子に腰掛けている状態からリクライニングさせる際に、背中と背凭れ部及び臀部と座席部間でズレが生じないようにして、使用者に違和感を与えないように改善されたものとして、背凭れ部の後方下方へのリクライニングに連動して座席部が前方へ摺動するもの（例えば、特許文献１参照。）や、背凭れ部の後方下方へのリクライニングに連動して座席部が前方上方へ揺動するものがある（例えば、特許文献２参照。）。
また、リクライニング可能な椅子おいて、背凭れ部に頭載せ台を備えた椅子では、背凭れの後方下方へのリクライニングに連動させて頭載せ台が背凭れに対し相対的に前方上方に傾倒し、背凭れのリクライニング角度によっては頭載せ台が背凭れに対して相対的に後方下方へ傾倒するもの（例えば、特許文献３参照。）や、背凭れの後方下方へのリクライニングに連動して頭載せ台が傾倒することはないが、背凭れが如何様なリクライニング状態であっても、単独で頭載せ台を背凭れに対して相対的に前後方向に傾倒でき、また、背凭れのリクライニングに併せて頭載せ台を傾倒させれば、同時に傾倒できるものがある（例えば、特許文献４参照。）。
さらに、リクライニング可能な椅子おいて、作動部を操作する操作部で、一つのハンドルにて二つ以上の対象を操作できる機械式の操作部としては、ハンドルの端部に備えられたブラケットにて一平面上において回動自在にハンドルを操作ベースに軸承し、前記ブラケット部に二つの係止板をハンドルの回転中心を挟む位置にそれぞれ固着して、該係止板それぞれにワイヤーの一端を一つずつ固定し、該ワイヤーの他端をそれぞれの作動部に固定させたもので、前記ハンドルを時計回りに回動させると、ワイヤーの一方が引張られ、該ワイヤーに連結されている作動部が作動し、ハンドルを反時計回りに回動させれば、ワイヤーの他方が引張られ、別の作動部が作動するとういうものがある（例えば、特許文献５参照。）。
【０００３】
【特許文献１】
特開平１１−０７５９７９号公報
【特許文献２】
特開２０００−０２３７７３号公報
【特許文献３】
特公平０３−０６８６８４号公報
【特許文献４】
実公平０４−０３９７０９号公報
【特許文献５】
実公平０４−００２５８１号公報
【０００４】
上記従来の技術によれば、次にような問題点がある。
まず、特許文献１及び２の技術には、背凭れ部のリクライニングに連動させて座席部を揺動あるいは前方へ摺動させており、背凭れ部と座席部のリクライニング機構及び揺動機構あるいは摺動機構が複雑なものになるうえに、背凭れ部及び座席部を単独で動かし微調整をすることができず、使用者が所望する姿勢が得ることができない場合がある。
また、特許文献３の技術では、頭載せ台のみを傾倒させることができず、頭載せ台の微調整ができないため、使用者が所望する姿勢が得られない場合がある。
さらに、特許文献４の技術では、使用者が椅子に腰掛けている状態からリクライニングさせる際に、背凭れと頭載せ台を同時に操作すれば使用者の首や肩に負担を与えることなく背凭れ部をリクライニングさせることはできるが、背凭れ部の背凭れと頭載せ台を同時に操作しなければならず不便である。
そして、特許文献５の技術では、一方のワイヤーを引張ると他方のワイヤーには弛みが生じ、この弛みにより、ワイヤーが他の部材に引っ掛かり、誤作動やワイヤーもしくはワイヤーが引掛かった部材を破損する恐れがある。
【０００５】
【発明が解決しようとする課題】
本発明は上記事情に鑑み、使用者の簡便な操作にて、使用者に違和感を与えることなく、より自然な姿勢を保ちながらリクライニングさせることができるとともに、使用者が所望する姿勢に細かな調整のできるリクライニング可能な椅子を提供すること課題とする。
【０００６】
【課題を解決するための手段】
まず、請求項１の発明は、基台部上部に左右一対の左右枠体を備え、左右枠体間かつ該基台部上方に配された座席部と、該座席部前方下部に座席部前方に向けて進出かつ回動可能に配された足載せ台部と、前記座席部後方に上方に起立するように配された背凭れ部とからなるリクライニング可能な椅子において、前記背凭れ部と左右枠体との軸承部を背凭れ部下部前方に配置するとともにリクライニング機構により背凭れ部がリクライニング可能に構成されることにより該軸承部を使用者が着座した状態からリクライニングしたときの腰の屈曲点と略々同一個所とし、さらに前記座席部と左右枠体との軸承部を座席部前方に配置するとともに揺動機構により座席部後部を上下に揺動可能とし、前記リクライニング機構と揺動機構を個々に操作可能とすることにより使用者により腰の屈曲点が異なる場合でも、前記背凭れ部の軸承部と腰の屈曲点を略々一致させることを可能としたことを特徴とする。
また、請求項２の発明は、基台部上部に左右一対の左右枠体を備え、左右枠体間かつ該基台部上方に配された座席部と、該座席部前方下部に座席部前方に向けて回動可能に配された足載せ台部と、前記座席部後方に上方に起立するように配された背凭れ部とからなるリクライニング可能な椅子において、背凭れ部のリクライニングに連動して背凭れ部の頭載せ台が背凭れに対して傾倒するとともに、該頭載せ台を単独でも傾倒可能とする頭載せ台傾倒機構を備えたことを特徴とする。
さらに、請求項３の発明は、少なくとも２つの作動部を操作する操作部において、一端部にハンドルを止着したハンドルピンを操作ベースにハンドルが回転操作可能となるよう取り付け、前記ハンドルピンの他端部にハンドルの回転操作により回動する回動体が固定され、操作ベースに端部を軸承し回動自在に取り付けられた少なくとも２つの作動体間に前記回動体が位置するよう配置することにより、前記回動体の正回転あるいは逆回転により夫々一方の作動体を回動操作可能に構成し、この作動体と前記作動部間にチューブ付ワイヤーを張設し、作動体の回動により作動部を作動させるよう構成することにより１つのハンドルで少なくとも２つの作動部を個別に操作可能としたことを特徴とする。
【０００７】
請求項１の発明によれば、左右枠体間にリクライニング機構を介してリクライニング可能に取り付けられた背凭れ部と、揺動機構を介して揺動自在に取り付けられた座席部を備えており、さらに前記リクライニング機構は背凭れ部のリクライニングによる背凭れ部の回動中心が背凭れ部の下方前方に位置するように配置されており、これにより使用者の腰の屈曲点と背凭れの回動中心を略々同一個所とすることができ、背凭れ部と使用者の背中のズレといった不快感を解消することができる。また、座席部は前方部を回動中心として上下に揺動するよう構成されているので、使用者の体格によって異なってくる腰部の屈曲点の位置をこの揺動機構によって微調節することができるよう構成されている。すなわち、使用者がリクライニングする際に、臀部と座席部さらに背中と背凭れ部間にズレや擦れが生じない快適なリクライニング可能な椅子を提供することができる。
また、請求項２の発明によれば、背凭れと頭載せ台とからなる背凭れ部を備えたリクライニング可能な椅子に、背凭れのリクライニングに連動して頭載せ台が背凭れに対して相対的に前方回動する頭載せ台の傾倒機構を具備することにより、使用者の頭部をしっかりと支持することができる。さらに、この傾倒機構は背凭れの任意のリクライニング状態で頭載せ台を単独で背凭れに対して相対的に前後に傾倒可能に構成されており、使用者によって異なる最適な状態を適宜調節可能としているので、どのような使用者でも快適な姿勢を保持することができる。
さらに、請求項３の発明によれば、ハンドルの正回転あるいは逆回転動作により、それぞれ別の作動体を回動操作可能としており、この作動体と作動部をチューブ付ワイヤーで連結することによって一つのハンドルで少なくとも２つの作動部を操作可能としている。また、一方の作動体が回動するときには他方の作動体が回動しないように構成されているので、ワイヤーに弛みが生じることがない。そのため、誤作動や他の部材に引っ掛かったり破損させる恐れがない操作部とすることができる。また、操作部を作動部に対して個別に設ける必要がなくなり、操作部のための設置スペースを削減でき、周辺スペースを有効活用できるようになるとともに、最も操作しやすい部位に操作部を設置できるようになる。
【０００８】
【発明の実施の形態】
本発明にかかるリクライニング可能な椅子の一実施形態を図面に基づいて説明する。第１図はリクライニング可能な椅子を示す全体正面図である。第２図はリクライニング可能な椅子を示す全体左側面図である。第３図はリクライニング可能な椅子の構成状態を示す背面図である。第４図はリクライニング可能な椅子の構成状態を示す平面図である。第５図はリクライニング可能な椅子の構成状態を示す左側面図である。第６図はベースを示す全体斜視図である。第７図は左フレームを示す全体斜視図である。第８図は右フレームを示す全体斜視図である。第９図は背凭れ部の連結部を示す全体斜視図である。第１０図は頭載せ台傾倒機構を示す要部平面図である。第１１図は頭載せ台傾倒機構を示す要部左側面図である。第１２図は座席フレームを示す全体斜視図である。第１３図は足載せ台部の作動部を示す平面図である。第１４図は回動手段の操作部を示す説明図である。第１５図は背凭れと頭載せ台の連動傾倒を示す要部左側面図である。第１６図は頭載せ台の単独傾倒を示す要部左側面図である。第１７図は座席部の傾倒を示す要部右側面図である。第１８図は足載せ台部の作動部の作動状態を示す要部左側面図である。なお、図示されたリクライニング可能な椅子に着座した状態を基準に前後左右としている。
【０００９】
まず、本発明にかかるリクライニング可能な椅子１の一実施形態について説明する。
このリクライニング可能な椅子１は、水平面上にて旋回可能な基台部２を備えている。該基台部２上面の左右端近傍それぞれには上部が肘掛けとなる左枠体３と、右枠体４が立設されている。この左右枠体３，４内には背凭れ部５の背凭れ６と頭載せ台７とを連動傾倒及び頭載せ台の単独傾倒を可能とする頭載せ台傾倒機構８と背凭れ部５のリクライニング手段９を操作する操作部１０が備えられるとともに、座席部１１の揺動手段１２と足載せ台部１３の回動手段１４を操作する操作部１０が備えられている。そして、左右枠体３，４間には座席部１１及び足載せ台部１３が備えられるとともに、背凭れ部５のリクライニング機構１５と座席部１１の揺動機構１６と、足載せ台部１３の作動部１７と、背凭れ部５のリクライニング手段９と座席部１１の揺動手段１２と足載せ台部１３の回動手段１４が備えられている。また、座席部１１後方上部には背凭れ６と頭載せ台７とからなる背凭れ部５が備えられている。これらの部材により、本発明にかかるリクライニング可能な椅子１は主に構成されている。
【００１０】
まず、基台部２について説明する。
この基台部２は平面視において円形のベース板１８を備え、その上方に平面視において矩形状の基台１９が配され、ベース板１８と基台１９の間に基台１９を水平面上にて回転させる回転部２０を配し、ベース板１８と基台１９を連結させている。よって、基台部２はベース板１８に対して基台１９が旋回自在に構成されている。
【００１１】
そして、上記基台部２の基台１９上面略々中央にベース２１が止着される。該ベース２１はリクライニング手段９及び揺動手段１２の取付部２１ａ，２１ｂを有するとともに、足載せ台部１３の作動部１７が止着される。このベース２１は前方上がりの傾斜が設けられた略々矩形状の枠体２１ｃである。該ベース２１の前方左端近傍には、リクライニング手段９の取付部２１ａが設けられている。また、該取付部２１ａに隣設するように、揺動手段１２の取付部２１ｂが設けられている。そして、該ベース２１の適所には止着プレート２１ｄ，２１ｄ，２１ｄ，・・・が固着されており、この止着プレート２１ｄ，２１ｄ，２１ｄ，・・・を上記基台部２の基台１９にネジ（図示省略）で止着することにより、ベース２１を基台１９に固定している。なお、該ベース２１に設けられた傾斜は、ベース２１上部に足載せ台部１３の作動部１７を止着した際に、座席部１１を揺動させても互いに干渉しないようにするためのものである。
【００１２】
そして、上記基台部２の基台１９上面かつ上記ベース２１側方には内部を空洞とした所定高さの左枠体３及び右枠体４が立設されている。この左右枠体３，４上部には肘掛けが設けられる。さらに左枠体３及び右枠体４内には座席部１１と背凭れ部５が取付けられる左フレーム２２と右フレーム２３がそれぞれ止着されている。
【００１３】
まず、左フレーム２２は前後方向に配された角パイプの前後端に固定プレート２２ａ，２２ｂがそれぞれ固着されてなるものであり、前端側の固定プレート２２ａには、座席部１１の軸受部２２ｃが左右方向の軸心を有するように固着されている。そして、後端側の固定プレート２２ｂには、背凭れ部５の軸受部２２ｄが左右方向の軸心を有するとともに、座席部１１の軸受部２２ｃより所定高さ（座席部１１の軸受部２２ｃに座席部１１を軸承させた際に、背凭れ部５の軸受部２２ｄが座席部１１上面より上方に位置する高さ）上方に固着されている。そして、上記左枠体３の内部略々中央部に左フレーム２２の角パイプが前後方向を向くように配され、該左フレーム２２の固定プレート２２ａ，２２ｂを左枠体３にネジ（図示省略）にて止着し、左フレーム２２を左枠体３に固定している。
次に、右フレーム２３は左フレーム２２と略々同様な構造をしており、前後方向に配された角パイプの前後端に固定プレート２３ａ，２３ｂがそれぞれ固着されてなるものであり、前端側の固定プレート２３ａには座席部１１の軸受部２３ｃが左右方向の軸心を有するように固着されている。そして、後端側の固定プレート２３ｂには背凭れ部５の軸受部２３ｄが左右方向の軸心を有するとともに、座席部１１の軸受部２３ｃより所定高さ（座席部１１の軸受部２３ｃに座席部１１を軸承させた際に、背凭れ部５の軸受部２３ｄが座席部１１上面より上方に位置する高さ）上方に固着されている。そして、背凭れ部５の軸受部２３ｄ軸心と前記左フレーム２２の背凭れ部５の軸受部２２ｄ軸心が一致かつ座席部１１の軸受部２３ｃ軸心と前記左フレーム２２の座席部１１の軸受部２２ｃ軸心が一致するように、右フレーム２３を上記右枠体４の内部略々中央部に配し、右フレーム２３の固定プレート２３ａ，２３ｂを右枠体４にネジ（図示省略）にて止着し、右フレーム２３を右枠体４に固定している。
【００１４】
次に、上記左枠体３及び右枠体４間にリクライニング可能に軸承される背凭れ部５について説明する。
この背凭れ部５は背凭れ６と頭載せ台７からなるもので、背凭れ６上部に連結部２４を介して頭載せ台７が傾倒可能に軸承されて構成されている。
【００１５】
まず、背凭れ６は上下方向に長い矩形状をしており、背凭れ６の下部両側部に平面視において略々Ｌ形状の左傾倒フレーム２５と右傾倒フレーム２６をそれぞれ止着している。そして、これら左傾倒フレーム２５と右傾倒フレーム２６の前方に突出し、互いに対向する面には、上記左右枠体３，４に取付け可能に軸受部２５ａ，２６ａがそれぞれ固着されている。そして、頭載せ台７は左右方向に長い矩形状に構成されている。
【００１６】
次に、背凭れ６上部で頭載せ台７を傾倒可能に軸承する連結部２４について説明する。
まず、背凭れ６の上部両側部には略々Ｌ形状をした連結支持具２７，２７が止着されている。これら連結支持具２７，２７は互いに対向する面側が背凭れ６上部から上方へ突出している。この突出した部位には、左右方向の軸心を有するようにガイドピン２７ａ，２７ａ及び軸受体２７ｂ，２７ｂがそれぞれ固着されている。
そして、前記頭載せ台７の下部両側部には略々Ｌ形状をした連結具２８，２８がそれぞれ止着されている。該連結具２８，２８の互いに対向する面側は頭載せ台７下部から下方へ突出している。これら突出した部位には、軸心が一致するように空孔部２８ａ，２８ａがそれぞれ穿たれている。そして、該空孔部２８ａ，２８ａを中心とする円弧状のガイド溝２８ｂ，２８ｂがそれぞれ穿たれている。
【００１７】
次に、背凭れ６上部に備えられた連結支持具２７，２７の軸受体２７ｂ，２７ｂ軸心と頭載せ台７下部に備えられた連結具２８，２８の空孔部２８ａ，２８ａ軸心が一致するように背凭れ６上部に頭載せ台７を配する。そして、背凭れ６と頭載せ台７の右側にある連結支持具２７の軸受体２７ｂと連結具２８の空孔部２８ａにピン２９を軸承させ、左側にある連結支持具２７の軸受体２７ｂと連結具２８の空孔部２８ａにピン２９を軸承させる。この際、連結支持具２７，２７に備えられたガイドピン２７ａ，２７ａは、連結具２８，２８に備えられたガイド溝２８ｂ，２８ｂに嵌め合わされる。このガイドピン２７ａ，２７ａとガイド溝２８ｂ，２８ｂにより、背凭れ６と頭載せ台７にて同一平面が形成される状態から、それ以上に頭載せ台７が背凭れ６に対して後方傾倒しないように規制している。次に、背凭れ６と頭載せ台７の左右の少なくとも一方の連結支持具２７と連結具２８間には、頭載せ台７が背凭れ６と同一平面を形成する方向に付勢されるように、バネ体３０を取付けている。
よって、連結部２４は、背凭れ６上部に頭載せ台７を背凭れ６と頭載せ台７が同一平面を形成する状態から背凭れ６に対して相対的に頭載せ台７をガイド溝２８ｂ，２８ｂとガイドピン２７ａ，２７ａの規制の範囲内で前方傾倒可能かつ、バネ体３０により、背凭れ６と頭載せ台７が同一平面を形成する方向に頭載せ台７を常に付勢するように構成されている。
【００１８】
したがって、背凭れ部５は、背凭れ６上部に連結部２４を介して頭載せ台７が取付けられ、背凭れ６と頭載せ台７が同一平面を形成する状態から前方傾倒可能かつ、背凭れ６下部に上記左右枠体３，４との軸受部２５ａ，２６ａを有する左右傾倒フレーム２５，２６が止着されて構成されている。
【００１９】
次に、上記左右枠体３，４間でリクライニング可能に軸承される背凭れ部５のリクライニング機構１５について説明する。
まず、上記背凭れ部５の左右傾倒フレーム２５，２６に備えられた軸受部２５ａ，２６ａと左右枠体３，４内の左右フレーム２２，２３に備えられた軸受部２２ｄ，２３ｄの軸心が一致するように背凭れ部５を配する。そして、左フレーム２２と左傾倒フレーム２５の軸受部２２ｄ，２５ａに傾倒軸３１を軸承させるとともに、右フレーム２３と右傾倒フレーム２６の軸受部２３ｄ，２６ａに傾倒軸３１を軸承させる。これにより、背凭れ部５は傾倒軸３１，３１を回動中心として前方上方及び後方下方へリクライニング自在に構成される。
次に、背凭れ部５の起立状態（背凭れ部５が水平面に対して略々垂直をなす状態）の位置から、さらに前方への回動を規制するストッパー３２，３２と、最大傾倒状態（背凭れ部５が略々水平となる状態）の位置からさらに後方下方への回動を規制するストッパー３３，３３が、左右フレーム２２，２３の後端側固定プレート２２ｂ，２３ｂにそれぞれ固着されている。
よって、リクライニング機構１５は、左右フレーム２２，２３に設けたそれぞれのストッパー３２，３２，３３，３３の規制範囲内にて、背凭れ部５が前方上方及び後方下方にリクライニング可能に構成されている。
【００２０】
また、背凭れ部５をリクライニングの回動中心となる傾倒軸３１，３１から後方の位置で支持するとともに、傾倒軸３１，３１を軸承する軸受部２２ｄ，２３ｄの位置を座席部１１上面より上方としたことにより、リクライニングの回動中心となる傾倒軸３１，３１が、人が座っている状態から上半身を仰向けになる方向に倒していくときの腰の屈曲点と略々一致する位置となるように背凭れ部５のリクライニング機構１５を構成している。
よって、背凭れ部５のリクライニングに際し、背中と背凭れ部５間でのズレや臀部と座席部１１間でのズレるといったような違和感を使用者に実質的に与えない構成となっている。
【００２１】
次に、背凭れ部５のリクライニング手段９について説明する。
まず、背凭れ部５の左傾倒フレーム２５の下端に、リクライニング手段９の取付部２５ｂが設けられている。該取付部２５ｂは空孔部３４ａ，３４ａが穿たれた板材を一定間隔離間させ、それぞれの空孔部３４ａ，３４ａが一致かつ左右方向の軸心を有するように固着させた軸着プレート３４，３４である。
また、前記ベース２１に設けてあるリクライニング手段９の取付部２１ａは、空孔部３５ａ，３５ａが穿たれた板材を一定間隔離間させ、それぞれの空孔部３５ａ，３５ａの軸心が一致かつ左右方向を向くように固着された軸承プレート３５，３５である。
そして、前記軸着プレート３４，３４にリクライニング手段９であるガスシリンダ３６の一端を軸承させるとともに、他端を前記軸承プレート３５，３５に軸承させる。なお、このガスシリンダ３６を伸縮可能としたときに、背凭れ部５が起立状態になる方向へリクライニングするように、ガスシリンダ３６の付勢力は作用する。また、本実施形態におけるガスシリンダ３６は、ガスシリンダ３６の一端にあるピン３６ａを押し縮めることにより、ガスシリンダ３６が伸縮可能な状態になるとともに、ガスシリンダ３６が伸長する方向に付勢力が作用するものであり、また、前記ピン３６ａを押し縮める力を解くとピン３６ａが元の状態に戻りガスシリンダ３６の伸縮がロックされるものである。なお、リクライニング手段９であるガスシリンダ３６を操作する操作部１０については後述する。
【００２２】
上記のように構成されたリクライニング機構１５及びリクライニング手段９によれば、リクライニング手段９であるガスシリンダ３６のロックを解除し、伸縮可能の状態として、背凭れ部５をガスシリンダ３６の付勢力に抗して後方向へ押すと、上記左右フレーム２２，２３と左右傾倒フレーム２５，２６で軸承されている傾倒軸３１，３１を回動中心として、背凭れ部５は後方下方（最大傾倒方向）へリクライニングする。この背凭れ部５のリクライニングに応じて、ガスシリンダ３６は軸承プレート３５，３５と軸着プレート３４，３４の間で押し縮められ、所望のリクライニング角度を得られた時点でガスシリンダ３６をロックさせると、背凭れ部５の所望のリクライニング状態にて固定することができるように構成されている。また、背凭れ部５を起立状態に復帰させる際には、リクライニング手段９であるガスシリンダ３６のロックを解除すると、ガスシリンダ３６の付勢力により背凭れ部５が前方上方（起立方向）にリクライニングするように構成されている。
【００２３】
次に、上記頭載せ台傾倒機構８について説明する。
この頭載せ台傾倒機構８は頭載せ台７の傾倒角度を任意に設定する設定部３７と、頭載せ台７を背凭れ部５のリクライニングに連動あるいは頭載せ台７単独で傾倒させるリンク機構３８から構成されている。
【００２４】
まず、設定部３７について説明する。
３９は傾倒カムであり、側面視において略々扇形状をしている。該傾倒カム３９の円弧部３９ａに対して偏心した位置に枢着部３９ｂが設けられている。そして、該傾倒カム３９の枢着部３９ｂを右傾倒フレーム２６左側面にて傾倒軸３１に取付けている。次に、平面視においてＬ形状のアーム３９ｃの一端が該傾倒カム３９に固着される。該アーム３９ｃの他端は右方向に突出され、その先端近傍には設定ピン４０が挿通されるピン受体３９ｄが固着されている。
【００２５】
次に、上記右フレーム２３に設けた軸受部２３ｄの右方向に突出している部分の外周部にバネ体４１を挿通し、次に蓋板４２を挿通している。そして、前記蓋板４２を左方向に押すとともに、前記バネ体４１及び蓋板４２の抜け止めとなる付勢具４３を、前記傾倒カム３９を取付けている傾倒軸３１の他端側に、左右方向に回動可能に取付ける。また、前記付勢具４３には設定ピン４０が挿通される空孔部４３ａが穿たれたピン受４３ｂが備えてある。次に、該ピン受４３ｂの空孔部４３ａ軸心と前記傾倒カム３９に設けられたピン受体３９ｄの軸心を一致させ、設定ピン４０を挿通し連結している。そして、前記付勢具４３に設定レバー４４を設定ピン４０の抜け止めとなるように止着している。よって、設定レバー４４を回動させることにより、傾倒カム３９を任意に回動させることができるとともに、前記バネ体４１により付勢具４３を介して設定ピン４０が右フレーム２３の後端側固定プレート２３ｂに常に押し当てられるように構成されている。
【００２６】
次に、頭載せ台７の傾倒角度を設定するために前記傾倒カム３９を任意の回動状態で固定する設定用空孔４５，４５，４５，・・・が、右フレーム２３の後端側固定プレート２３ｂに、傾倒軸３１を中心とし半径が設定ピン４０までの距離とした円周上にて複数個穿たれている。この設定用空孔４５，４５，４５，・・・に設定ピン４０が嵌め合わされることにより、確実に傾倒カム３９を固定することができる。
【００２７】
上記のように構成された設定部３７は、設定レバー４４をバネ体４１の付勢力に抗し回動させ、設定ピン４０を設定用空孔４５から引き抜き、設定レバー４４を上下方向に回動させることで傾倒カム３９を任意の回動状態とし、所望の設定用空孔４５の軸心と設定ピン４０の軸心が一致したときに、設定レバー４４から手を外すと、バネ体４１の付勢力により設定ピン４０が設定用空孔４５に確実に嵌め合わされる構成とされている。
【００２８】
次に、頭載せ台７を傾倒させるリンク機構３８について説明する。
４６は鉤状をした回動プレートであり、その一端には前記傾倒カム３９の円弧部３９ａに沿って転動するようにローラ４６ａが軸承され、他端側にはロッド４７の一端を挿通するための空孔部４６ｂが穿たれている。該回動プレート４６の略々中間部と軸受部２６ａの軸心と平行な軸心を有するように右傾倒フレーム２６に固着させた回動軸受２６ｂで、回動軸４８を軸承している。
次に、ロッド４７の他端を上記頭載せ台７の右側にある連結具２８の空孔部２８ｃに取付ける。
ここで、頭載せ台７と連結具２８は、上記したように背凭れ部５の連結部２４に設けられたバネ体３０により、背凭れ６と頭載せ台７が同一平面を形成する方向に付勢されており、上記ロッド４７は常に頭載せ台７の方向へ付勢される。したがって、ロッド４７が頭載せ台７側へ付勢されることにより、回動軸４８を中心に回動プレート４６のロッド４７側は頭載せ台７側に付勢され、ローラ４６ａ側は傾倒カム３９側に付勢される。これにより、ローラ４６ａが傾倒カム３９に常に接当する状態にある。
【００２９】
上記のように構成された設定部３７とリンク機構３８により頭載せ台傾倒機構８は、設定レバー４４を設定ピン４０にかかる付勢力に抗し回動させ、設定ピン４０を設定用空孔４５より引き抜き、設定レバー４４を上下方向に回動可能状態とし、設定レバー４４を上下方向に回動させることで傾倒カム３９を回動させると、傾倒カム３９に接当しているローラ４６ａと傾倒カム３９の回動中心である傾倒軸３１との距離が変わり、回動軸４８を中心に回動プレート４６が回動し、回動プレート４６に取付けられているロッド４７が頭載せ台７を回動させ、背凭れ部５の連結部２４に備えてあるバネ体３０の付勢力に抗して頭載せ台７を背凭れ６に対して相対的に前方傾倒させた状態や、あるいはバネ体３０の付勢力にて頭載せ台７側へ引き寄せられ、背凭れ６と頭載せ台７が同一平面を成す状態にできる。そして、頭載せ台７が所望の傾倒角度となる設定用空孔４５の軸心上に設定ピン４０の軸心が位置したところで、設定レバー４４から手を外すと、設定ピン４０が設定用空孔４５に嵌め合わされ、所望の傾倒角度を保持できるように構成されている。
【００３０】
また、背凭れ部５を最大傾倒方向へリクライニングさせた際には、この背凭れ部５のリクライニングとともに回動プレート４６が傾倒軸３１を回動中心として回動する。回動プレート４６が背凭れ部５とともに回動することにより、回動プレート４６に設けてあるローラ４６ａが傾倒カム３９の円弧部３９ａ上を転動する。これにより、傾倒カム３９に接当しているローラ４６ａと傾倒カム３９の回動中心である傾倒軸３１との距離が変わり、回動軸４８を中心に回動プレート４６が回動し、ロッド４７が頭載せ台７を前方回動させる。詳述すると、ロッド４７が背凭れ部５の連結部２４に設けてあるバネ体３０の付勢力に抗して連結部２４の連結具２８を引張り、連結部２４のピン２９を中心に背凭れ６に対して相対的に頭載せ台７を前方傾倒させる。このように、頭載せ台傾倒機構８は背凭れ部５の最大傾倒方向のリクライニングに連動して、頭載せ台７を背凭れ６に対して相対的に前方傾倒でき、また逆に、背凭れ部５の起立方向のリクライニングに連動して頭載せ台７を背凭れ６と同一平面を形成する方向へ傾倒させることができるようにも構成されている。
【００３１】
なお、背凭れ部５が起立状態から最大傾倒方向のリクライニングさせる開始状態で、背凭れ６と頭載せ台７が同一平面を形成していた場合において、頭載せ台７は背凭れ部５のリクライニングに合わせて背凭れ６に対して相対的に徐々に前方傾倒し、背凭れ部５が最大傾倒状態となったときに、頭載せ台７は背凭れ部５の連動傾倒による最大傾倒状態（最大傾倒角度）となる。また、背凭れ部５の起立状態で設定部３７の設定レバー４４を用いて頭載せ台７を背凭れ６に対して前方傾倒をさせた状態（初期傾倒角度）から背凭れ部５をリクライニングさせ、背凭れ部５を最大傾倒状態にした場合には、頭載せ台７は初期傾倒角度と背凭れ部５の連動傾倒による最大傾倒角度を合わせた角度だけ、背凭れ６に対して相対的に前方傾倒した状態となる。
そして、背凭れ部５を傾倒状態から起立方向にリクライニングさせる際には、頭載せ台７は、背凭れ部５が最大傾倒方向のリクライニングしたときに頭載せ台７が背凭れ６に対して相対的に前方傾倒した角度と同じ角度だけ、頭載せ台７が背凭れ６と同一平面を形成する方向に傾倒する。また、背凭れ部５をリクライニングさせた状態において、設定部３７の設定レバー４４を用いて頭載せ台７を背凭れ６と同一平面を形成する状態や、頭載せ台７を背凭れ６に対して相対的に前方傾倒させた後に、その状態から背凭れ部５を起立方向のリクライニングさせた場合、背凭れ部５が起立状態となったときに、頭載せ台７の傾倒角度は設定レバー４４にて設定した設定用空孔４５に対応する傾倒角度になる。
【００３２】
したがって、頭載せ台傾倒機構８により背凭れ部５は、背凭れ部５の起立状態から背凭れ部５が最大傾倒方向のリクライニングに併せて、頭載せ台７が背凭れ６に対して相対的に前方傾倒することにより、頭載せ台７により使用者の頭部を支えながら使用者が仰向けになる姿勢をとることができ、使用者の首や肩に負担を実質的にかけることなく、背凭れ部５をリクライニングできる。
また、頭載せ台傾倒機構８により背凭れ部５の頭載せ台７を単独かつ任意に傾倒及び傾倒角度を保持することができ、使用者が所望する姿勢をより得やすくなっている。
【００３３】
次に、座席部１１について説明する。
この座席部１１は、上記左右枠体３，４間に揺動機構１６を介して配される座席フレーム４９と、該座席フレーム４９と上記ベース２１間に備えられる揺動手段１２から構成されている。
【００３４】
まず、座席フレーム４９は角パイプにより平面視において矩形状に枠組みされている。該座席フレーム４９左右辺のそれぞれの前方端近傍下面には左右枠体３，４への軸受部４９ａ，４９ａが、それぞれの軸受部４９ａ，４９ａの軸心が一致するように固着されている。また、座席フレーム４９の後部左端近傍下面には揺動手段１２の取付部４９ｂが設けられている。
【００３５】
次に、左右枠体３，４内の左右フレーム２２，２３に備えた軸受部２２ｃ，２３ｃと上記座席フレーム４９に備えた軸受部４９ａ，４９ａの軸心が一致するように座席フレーム４９を配する。そして、左フレーム２２と座席フレーム４９左辺の軸受部２２ｃ，４９ａに回転軸５０を軸承させるとともに、右フレーム２３と座席フレーム４９右辺の軸受部２３ｃ，４９ａに回転軸５０を軸承させる。次に、上記左右フレーム２２，２３の後端側固定プレート２２ｂ，２３ｂのそれぞれには、座席部１１が一定量揺動した際に、それ以上の揺動を規制するストッパー５１が固着されている。
よって、前記回転軸５０，５０を中心に左右枠体３，４に対して相対的に座席フレーム４９の後端側が上下するように座席部１１の揺動機構１６が構成されている。
【００３６】
次に、座席部１１の揺動手段１２について説明する。
まず、上記座席フレーム４９に設けられた揺動手段１２の取付部４９ｂは、空孔部５２ａ，５２ａが穿たれた板材を一定間隔離間させるとともに、それぞれの空孔部５２ａ，５２ａの軸心が一致かつ左右方向を向くように固着された枢支プレート５２，５２である。
次に、上記ベース２１に設けられた揺動手段１２の取付部２１ｂは、空孔部５３ａ，５３ａが穿たれた板材を一定間隔離間させるとともに、それぞれの空孔部５３ａ，５３ａの軸心が一致かつ左右方向を向くように固着された枢着プレート５３，５３である。
そして、前記枢着プレート５３，５３に揺動手段１２であるガスシリンダ３６の一端を軸承し、他端を枢支プレート５２，５２に軸承する。このガスシリンダ３６は座席フレーム４９が水平となる方向に付勢力が作用する。
【００３７】
よって、座席部１１は揺動手段１２であるガスシリンダ３６のロックを解除し伸縮可能な状態として、座席フレーム４９をガスシリンダ３６の付勢力に抗して下方へ押すと、枢支プレート５２，５２と枢着プレート５３，５３の間でガスシリンダ３６を押し縮めながら、座席フレーム４９の後方が下がるように、座席フレーム４９が回転軸５０，５０を回動中心として揺動する構成となっている。そして、所望の着座姿勢が得られたところでガスシリンダ３６のロック操作を行えば、所望の位置で座席フレーム４９を保持できる構成となっている。また、揺動手段１２であるガスシリンダ３６を伸縮可能な状態とすると、ガスシリンダ３６の付勢力により座席フレーム４９が水平になる方向に揺動し、座席部１１後方が上方に揺動する構成となっている。なお、揺動手段１２であるガスシリンダ３６の操作部１０については後述する。
【００３８】
上述のように構成された座席部１１は背凭れ部５に関係なく単独で揺動させることができるので、人が座っている状態から上半身を仰向けになる方向に倒していくときの腰の屈曲点が、使用者の体格により異なる場合でも、座席部１１を揺動させることで、腰の屈曲点と背凭れ部５のリクライニングの回動中心となる傾倒軸３１，３１を略々一致させることができ、使用者の体格に応じて調節可能であり、背凭れ部５のリクライニングに際に、背中と背凭れ部５間でのズレや臀部と座席部１１間でのズレるといったような違和感を使用者に実質的に与えないようにできる。
また、所望する姿勢をより得られ易くなっている。
【００３９】
次に、足載せ台部１３について説明する。
この足載せ台部１３は上記座席部１１の下方、すなわち上記ベース２１に足載せ台部１３の作動部１７を止着し、構成されている。該作動部１７は作動基台５４と、レール部５５と、レール部５５に回動自在に軸承された足載せ台５６及びレール部５５と足載せ台５６を連動させるリンク機構５７からなる。
【００４０】
まず、作動基台５４には後述する第一の梃体５８の取付部５４ａと回動手段１４の取付部５４ｂ及びレール支持パイプ５４ｃを固着している。前記第一の梃体５８の取付部５４ａは軸受体５４ｄであって前記作動基台５４の側部に固着されている。前記回動手段１４の取付部５４ｂは前記第一の梃体５８の取付部５４ａ後方に固着されている。前記レール支持パイプ５４ｃは平面視において略々コ字状のパイプであり、側面視において座席部１１の水平面に対する最大揺動時と略々平行になるように前記作動基台５４に固着されている。なお、該レール支持パイプ５４ｃの前方には補強プレート５９，５９が固着されている。また、該レール支持パイプ５４ｃの前端部近傍及び略々中央部の両外側面に摺動ローラ６０，６０，６０，・・・を軸承している。
【００４１】
次に、レール部５５は前記レール支持パイプ５４ｃに挿通されている。該レール部５５は左右にレール溝を持つレールプレート５５ａと該レールプレート５５ａ前方端部に固着した平面視において略々コ字状のプレート５５ｂ及び該レールプレート５５ａの略々中央部に固着された第二の梃体６１の取付部５５ｃとなる軸受体５５ｄとからなる。
【００４２】
前記レール部５５のプレート５５ｂには足載せ台５６を回動自在に軸着している。該足載せ台５６は板部材の上端部後面に軸受体５６ａ，５６ａを固着し、さらに、下端部後面に第三の梃体６２を軸承するための垂直辺５６ｂを固着してなる。
【００４３】
次に、前記リンク機構５７は第一の梃体５８と第二の梃体６１と第三の梃体６２で構成されている。前記第一の梃体５８は前記作動基台５４の取付部５４ａにピン６３により前後回動自在に軸承されている。該第一の梃体５８には回動中心となるピン６３の軸承部５８ａから長手方向に所定の間隔をおいて回動手段１４の取付部５８ｂである取付軸部５８ｃと、第二の梃体６１の取付軸部５８ｄ、さらに第三の梃体６２の取付空孔５８ｅを設けている。前記第二の梃体６１は両端に空孔部６１ａ，６１ａを備えたプレートで一方を前記第一の梃体５８の取付軸部５８ｄに挿通し、他方を前記レール部５５の取付部５５ｃにピン６４にて取付けている。さらに、第三の梃体６２は端部を前記第一の梃体５８の取付空孔５８ｅに、他端部を足載せ台５６の垂直辺５６ｂに挿通している。よって、第一の梃体５８の前方回動に連動して押し出される第二の梃体６１の移動量に対し、第三の梃体６２の移動量が大きくなるように構成されている。これにより、前記足載せ台５６は前方に押し出されながら前方上方に回動するので、使用者の膝の回転中心と足載せ台５６の回転中心が略々同じになる。
【００４４】
そして、前記リンク機構５７を回動させるのが回動手段１４であるガスシリンダ３６であり、該ガスシリンダ３６の端部を前記作動基台５４の取付部５４ｂ、他端部を第一の梃体５８の取付軸部５８ｃに取付けている。この際、足載せ台５６を座席部１１下部に収納している状態から前方へ張出させる方向にガスシリンダ３６の付勢力が作用するようにしている。なお、回動手段１４の操作部１０については後述する。
【００４５】
したがって、足載せ台部１３は、回動手段１４であるガスシリンダ３６のロックを解除し伸縮自在の状態とすると、ガスシリンダ３６が伸長して第一の梃体５８を前方に押し出し、第二の梃体６１が押し出され、レール部５５が前方に押し出されるとともに、第三の梃体６２により、足載せ台５６が前方上方回動をさせる構成とされている。また、ガスシリンダ３６の付勢力に抗して足載せ台５６を後方下方へ押すと、ガスシリンダ３６が縮むにつれて、足載せ台５６は後方下方へ回動するとともに、レール部５５が後方へ摺動され、元の状態（足載せ台５６が座席部１１前方下部に収納された状態）にもどるように構成されている。
【００４６】
次に、背凭れ部５のリクライニング手段９と座席部１１の揺動手段１２及び足載せ台部１３の回動手段１４として使用しているガスシリンダ３６の操作部１０について説明する。
この操作部１０は操作部本体６５と、ガスシリンダ３６の上記ピン３６ａを押し縮めることが可能な作動部６６と、該作動部６６と操作部本体６５を結ぶチューブ付ワイヤー６７から構成されている。
【００４７】
まず、操作部本体６５について説明する。
６８は操作ベースであり、平面視においてコ字形状をしている。該操作ベース６８の略々中間部には左右枠体３，４のいずれにも固定できるように固定プレート６８ａが前後方向に固着されるとともに、左右方向の辺には上記チューブ付ワイヤー６７，６７のチューブ６７ａ，６７ａ端が固定される切欠き６８ｂ，６８ｂ，６８ｂ，・・・が設けられている。
【００４８】
次に、下端部に軸受６９ａ，６９ａが固着された側面視において略々Ｌ形状の作動体６９，６９が、操作ベース６８中央下部に、側面視において向き合うように、かつ左右方向にずらされて配され、軸ピン７０にて取付けられている。そして、操作ベース６８の中央部上方、すなわち、前記軸ピン７０の上方に、回動体７１が前記作動体６９，６９間に挟まれるように配され、ハンドルピン７２にて固定されている。該ハンドルピン７２の回動体７１取付け他端側には、ハンドル７３が取付けられている。なお、前記回動体７１と二つの作動体６９，６９が略々平行をなす状態を作動体６９，６９及びハンドル７３の中立位置とし、ガスシリンダ３６がロックしている状態である。
【００４９】
よって、前記ハンドル７３を中立位置から前後いずれかの方向に略々９０度回動させると、ハンドル７３の回動方向に応じて回動体７１が中立位置から前方あるいは後方方向に略々９０度回動し、作動体６９，６９のいずれかを回動させるように操作部本体６５は構成されている。
【００５０】
次に、作動部６６について説明する。
７４はガスシリンダ３６の上記ピン３６ａ側端を軸承するために取付けられた軸承ブロックである。該軸承ブロック７４には、一端に軸受７５ａが固着された鉤状のスイッチプレート７５を軸ピン７６にて取付け、作動部６６が構成されている。また、この軸承ブロック７４にはチューブ付ワイヤー６７のチューブ６７ａを固定する固定片７４ａを備えている。
【００５１】
次に、上記操作部本体６５の操作ベース６８の切欠き６８ｂにチューブ付ワイヤー６７の一端側のチューブ６７ａを固定し、ワイヤー６７ｂを一方の作動体６９の略々中間部に固定する。そして、チューブ付ワイヤー６７の他端側のチューブ６７ａ端を作動部６６の固定片７４ａに固定し、スイッチプレート７５にワイヤー６７ｂを固定する。この際、チューブ付ワイヤー６７のワイヤー６７ｂはスイッチプレート７５がガスシリンダ３６の上記ピン３６ａに軽く接当している状態かつ操作部本体６５側の作動体６９が中立位置にある状態で弛みなく連結される。同様にして、他方の作動体６９と別の作動部６６とをチューブ付ワイヤー６７で連結する。
【００５２】
次に、操作部１０の動作について説明する。
まず、ハンドル７３を中立位置から略々９０度前後何れかの方向に回動させることにより、回動体７１が回動され、何れか一方の作動体６９が回動する。そして、該作動体６９に取付けられているチューブ付ワイヤー６７のワイヤー６７ｂが操作部本体６５側に引張られ、ワイヤー６７ｂが連結されている作動部６６の軸承ブロック７４のスイッチプレート７５を引張り回動させ、ガスシリンダ３６の上記ピン３６ａを押し縮める。該ガスシリンダ３６の上記ピン３６ａが押し縮められることにより、該ガスシリンダ３６を伸縮可能な状態にロックが解除される。このとき、他方の作動体６９は回動体７１と接当しないため、他方の作動体６９が回動することがなく、該作動体６９と連結されているガスシリンダ３６の作動部６６は作動しない。また、チューブ付ワイヤー６７のワイヤー６７ｂが弛むこともない。
【００５３】
次に、ハンドル７３を中立位置に戻すと、ガスシリンダ３６の上記ピン３６ａを押し縮める力が解け、ピン３６ａが元の状態（ガスシリンダ３６のロック状態）に戻るにつれ、軸承ブロック７４のスイッチプレート７５が押し戻される。スイッチプレート７５が押し戻されるに連れて、ワイヤー６７ｂが作動部６６側に引張られ、操作部本体６５に設けられている作動体６９が中立位置に戻される。
【００５４】
したがって、操作部１０は、該操作部１０のハンドル７３を一方方向に回動させ一方の作動体６９を回動させて、一方の作動部６６を作動させたときに、他方の作動体６９は全く回動しないため、他方の作動体６９と他方の作動部６６を結ぶチューブ付ワイヤー６７に弛みが生じることがなく、誤作動やチューブ付ワイヤー６７が他の部材に引掛かり、チューブ付ワイヤー６７もしくはチューブ付ワイヤー６７が引掛かった部材を破損する恐れをなくすことができる。また、操作部１０を作動部６６に対して個別に設ける必要がなくなり、操作部１０のための設置スペースを削減でき、周辺スペースを有効活用できるようになるとともに、最も操作しやすい部位に操作部１０を設置できるようになる。
【００５５】
なお、上記のように構成されたリクライニング可能な椅子１の背凭れ部５と座席部１１と足載せ台部１３と左枠体３及び右枠体４には弾力性を有するカバー等が適宜配設されるものであるが、構成を明確に図示するために、省略している。
【００５６】
次に、上述のように構成されたリクライニング可能な椅子１を一使用形態に沿って説明する。なお、便宜上、背凭れ部５の操作部１０は右枠体４に備えられ、座席部１１と足載せ台部１３の操作部１０は、操作部１０のハンドル７３を前方に回動すると座席部１１が、後方に回動させると足載せ台部１３が操作できるように集約し、左枠体３に備え構成されているものとする。
【００５７】
まず、使用者がリクライニング可能な椅子１に着座する。
次に、背凭れ部５をリクライニングさせたいときには、右枠体４に備えられた操作部１０のハンドル７３を回動させ、リクライニング手段９のガスシリンダ３６を伸縮可能な状態にする。そして、背凭れ部５に凭れ掛かるように後方向へ押すと、人が座っている状態から上半身を仰向けになる方向に倒していくときの腰の屈曲点と、略々一致する位置に配した背凭れ部５の傾倒軸３１，３１を中心に、背凭れ部５は最大傾倒方向へリクライニングする。背凭れ部５のリクライニングに連動して、頭載せ台７は背凭れ６に対して相対的に徐々に前方傾倒する。
このとき、背凭れ部５がリクライニング開始状態で、背凭れ６と頭載せ台５が同一平面を形成していた場合において、頭載せ台７は背凭れ部５のリクライニングに合わせて背凭れ６に対して相対的に徐々に前方傾倒し、背凭れ部５が最大傾倒状態となったときに、頭載せ台７は背凭れ６との連動傾倒による最大傾倒状態（最大傾倒角度）となる。
また、背凭れ部５の起立状態で設定部３７の設定レバー４４を用いて頭載せ台７を背凭れ６に対して前方傾倒をさせた状態（初期傾倒角度）から背凭れ部５をリクライニングさせ、背凭れ部５を最大傾倒状態にした場合には、頭載せ台７は初期傾倒角度と背凭れ部５の連動傾倒による最大傾倒角度を合わせた角度だけ、背凭れ６に対して相対的に前方傾倒した状態となる。
【００５８】
次に、背凭れ部５のリクライニングにより使用者が所望の姿勢をとることができれば、右枠体４に備えられた操作部１０のハンドル７３を中立位置に戻すことにより、リクライニング手段９であるガスシリンダ３６をロック状態とすることができ、所望のリクライニング角度で背凭れ部５を保持できる。
【００５９】
また、背凭れ部５を起立状態に戻したいときには、右枠体４に備えられている操作部１０のハンドル７３を回動させ、リクライニング手段９であるガスシリンダ３６を伸縮可能な状態すると、ガスシリンダ３６の付勢力により、背凭れ部５は起立方向へリクライニングする。それにともない、背凭れ部５が最大傾倒方向へリクライニングしたときに頭載せ台７が背凭れ６に対して相対的に前方傾倒した角度と同じ角度だけ、背凭れ６に対して相対的に背凭れ６と頭載せ台７が同一平面を形成する方向に頭載せ台７は傾倒する。
【００６０】
次に、頭載せ台７だけを傾倒させたいときには、右枠体４に備えられている設定部３７の設定レバー４４を回動させることにより、頭載せ台７のみを傾倒させ微調整することができる。
【００６１】
よって、背凭れ部５をリクライニングさせる際に、背凭れ部５と使用者の背中及び座席部１１と使用者の臀部がズレるといった違和感を使用者に与えることなく、また、頭載せ台７により頭を支えられながら使用者が仰向けになる姿勢をとれるので、使用者の首や肩への負担を実質的にかけることがなく、背凭れ部５をリクライニングできる。また、頭載せ台７だけを傾倒させることができ、より使用者の所望する姿勢をとることができる。
【００６２】
次に、座席部１１を揺動させたいときには、左枠体３に備えた操作部１０のハンドル７３を前方に回動することにより、揺動手段１２であるガスシリンダ３６を伸縮可能な状態とする。そして、座席部１１に使用者の体重を乗せるようにすると、座席部１１後部が下がるように座席部１１が揺動する。
次に、所望の座位を確保できたとき、操作部１０のハンドル７３を中立位置に戻せば所望の揺動状態にて座席部１１を保持できる。
そして、座席部１１の揺動状態を元に戻すには、操作部１０のハンドル７３を前方に回動しガスシリンダ３６を伸縮可能な状態とする。ガスシリンダ３６を伸縮可能とすることで、ガスシリンダ３６の付勢力により、座席部１１は元の状態に戻る。
【００６３】
上述のように、座席部１１を単独で揺動させることができるので、使用者が所望する姿勢を得られ易くするとともに、背凭れ部５をリクライニングさせたときに、使用者が背中と臀部に、背凭れ部５と座席部１１とでズレるといった違和感があった場合に、座席部１１を揺動させることで、人が座っている状態から上半身を仰向けになる方向に倒していくときの腰の屈曲点と背凭れ部５のリクライニングの回動中心となる傾倒軸３１，３１を一致させるように調整ができる。これにより、体格の異なる使用者が、このリクライニング可能な椅子１を使用し、背凭れ部５をリクライニングさせる場合でも、使用者の背中や臀部に違和感を与えることなく、背凭れ部５をリクライニングさせることができる。
【００６４】
次に、足載せ台部１３を使用したいときには、左枠体３に備えた操作部１０のハンドル７３を後方に回動することにより、回動手段１４であるガスシリンダ３６を伸縮可能な状態する。ガスシリンダ３６を伸縮可能とすることで、ガスシリンダ３６の付勢力により、足載せ台部１３は前方に押し出されながら前方上方に回動する。よって、使用者の膝の回動中心と足載せ台部１３の回動中心が略々同じ状態にて、足載せ台部１３は座席部１１前方下部から座席部１１と足載せ台部１３が同一平面を形成する方向へ回動し、足載せ台部１３が座席部１１下部から前方にでてくる。そして、所望の姿勢を使用者が得られたときに操作部１０のハンドル７３を中立位置に戻せば、所望の位置で足載せ台部１３を保持できる。
また、足載せ台部１３を収納したいときには、操作部１０のハンドル７３を後方に回動し、ガスシリンダ３６を伸縮可能な状態とする。そして、ガスシリンダ３６の付勢力に抗して、使用者の足にて足載せ台部１３を引き込むように足載せ台部１３を押せば、足載せ台部１３を座席部１１下部に戻せ、戻ったところで、操作部１０のハンドル７３を中立位置にすれば座席部１１下部の位置で足載せ台部１３を保持でき、足載せ台部１３を座席部１１下部に収納できる。
よって、使用者に足載せ台部１３の回動動作による、衣服のズレと言ったような違和感を実質的に与えない構成となっている。
【００６５】
したがって、本発明に係るリクライニング可能な椅子１は背凭れ部５と、座席部１１と、足載せ台部１３を任意に操作することにより、椅子に腰掛ける状態はもちろんのこと、背凭れ部５と、座席部１１と、足載せ台部１３を略々水平とした状態や、足載せ台部１３のみを前方に張出させた状態、背凭れ部５のみをリクライニングさせた状態等、使用者の所望する姿勢に応じて、背凭れ部５と、座席部１１と、足載せ台部１３を調節できるように構成されている。
【００６６】
【発明の効果】
請求項１の発明によれば、左右枠体３，４間にリクライニング機構１５を介してリクライニング可能に取り付けられた背凭れ部５と、揺動機構１６を介して揺動自在に取り付けられた座席部１１を備えており、さらに前記リクライニング機構１５は背凭れ部５のリクライニングによる背凭れ部５の回動中心が背凭れ部５の下方前方に位置するように配置されており、これにより使用者の腰の屈曲点と背凭れ部５の回動中心を略々同一個所とすることができ、背凭れ部５と使用者の背中のズレといった不快感を解消することができる。また、座席部１１は前方部を回動中心として上下に揺動するよう構成されているので、使用者の体格によって異なってくる腰部の屈曲点の位置をこの揺動機構１６によって微調節することができるよう構成されている。すなわち、使用者がリクライニングする際に、臀部と座席部１１さらに背中と背凭れ部５間にズレや擦れが生じない快適なリクライニング可能な椅子１を提供することができる。
また、請求項２の発明によれば、背凭れ６と頭載せ台７とからなる背凭れ部５を備えたリクライニング可能な椅子１に、背凭れ６のリクライニングに連動して頭載せ台７が背凭れ６に対して相対的に前方回動する頭載せ台傾倒機構８を具備することにより、使用者の頭部をしっかりと支持することができる。さらに、この傾倒機構８は背凭れ６の任意のリクライニング状態で頭載せ台７を単独で背凭れ６に対して相対的に前後に傾倒可能に構成されており、使用者によって異なる最適な状態を適宜調節可能としているので、どのような使用者でも快適な姿勢を保持することができる。
さらに、請求項３の発明によれば、ハンドル７３の正回転あるいは逆回転動作により、それぞれ別の作動体６９を回動操作可能としており、この作動体６９，６９と作動部６６，６６をチューブ付ワイヤー６７，６７で連結することによって一つのハンドル７３で少なくとも２つの作動部６６，６６を操作可能としている。また、一方の作動体６９が回動するときには他方の作動体６９が回動しないように構成されているので、ワイヤー６７ｂに弛みが生じることがない。そのため、誤作動や他の部材に引っ掛かったり破損させる恐れがない操作部１０とすることができる。また、操作部１０を作動部６６，６６に対して個別に設ける必要がなくなり、操作部１０のための設置スペースを削減でき、周辺スペースを有効活用できるようになるとともに、最も操作しやすい部位に操作部１０を設置できるようになる。
【図面の簡単な説明】
【図１】リクライニング可能な椅子を示す全体正面図
【図２】リクライニング可能な椅子を示す全体左側面図
【図３】リクライニング可能な椅子の構成状態を示す背面図
【図４】リクライニング可能な椅子の構成状態を示す平面図
【図５】リクライニング可能な椅子の構成状態を示す左側面図
【図６】ベースを示す全体斜視図
【図７】左フレームを示す全体斜視図
【図８】右フレームを示す全体斜視図
【図９】背凭れ部の連結部を示す全体斜視図
【図１０】頭載せ台傾倒機構を示す要部平面図
【図１１】頭載せ台傾倒機構を示す要部左側面図
【図１２】座席フレームを示す全体斜視図
【図１３】足載せ台部の作動部を示す全体平面図
【図１４】回動手段の操作部を示す説明図
（ａ）操作部本体の平面図
（ｂ）操作部本体の側面図
（ｃ）作動部の側面図
【図１５】背凭れと頭載せ台の連動傾倒を示す要部左側面図
【図１６】頭載せ台の単独傾倒を示す要部左側面図
【図１７】座席部の傾倒を示す要部右側面図
【図１８】足載せ台部の作動状態を示す要部左側面図
【符号の説明】
１    リクライニング可能な椅子
２    基台部
３    左枠体
４    右枠体
５    背凭れ部
６    背凭れ
７    頭載せ台
８    頭載せ台傾倒機構
１０  操作部
１１  座席部
１３  足載せ台部
３１  傾倒軸
５０  回転軸
６６  作動部
６７  チューブ付ワイヤー
６８  操作ベース
６９  作動体
７１  回動体
７２  ハンドルピン
７３  ハンドル
【図１】
2004329630.tif 000003
【図２】
2004329630.tif 000004
【図３】
2004329630.tif 000005
【図４】
2004329630.tif 000006
【図５】
2004329630.tif 000007
【図６】
2004329630.tif 000008
【図７】
2004329630.tif 000009
【図８】
2004329630.tif 000010
【図９】
2004329630.tif 000011
【図１０】
2004329630.tif 000012
【図１１】
2004329630.tif 000013
【図１２】
2004329630.tif 000014
【図１３】
2004329630.tif 000015
【図１４】
2004329630.tif 000016
【図１５】
2004329630.tif 000017
【図１６】
2004329630.tif 000018
【図１７】
2004329630.tif 000019
【図１８】
2004329630.tif 000020